(57)【特許請求の範囲】
【請求項１】
予め保持したコンテンツ情報を、建物内に設置された複数の建物側モニタに配信するコンテンツ情報管理装置に接続されたエレベータインフォメーションシステムにおいて、
前記建物のエレベータ内に設置されたエレベータ内のモニタと、
前記コンテンツ情報管理装置から配信されるコンテンツ情報を、前記エレベータ内のモニタに表示させるための変換処理を行うコンテンツ情報処理装置と、
前記コンテンツ情報管理装置から配信されたコンテンツ情報を入力し、入力したコンテンツ情報が、所定の映像情報が繰り返された繰り返し映像情報である場合に、前記コンテンツ情報処理装置における変換処理にかかる時間を考慮して、前記建物側モニタと前記エレベータ内のモニタとで前記所定の映像情報の表示タイミングが同期するように、予め設定された時間分遅延させて、前記エレベータ内のモニタに表示させるために前記コンテンツ情報処理装置に出力する出力タイミング制御装置と
を備えることを特徴とするエレベータインフォメーションシステム。
【請求項２】
前記出力タイミング制御装置は、入力したコンテンツ情報の先頭の所定数のフレームに関する特徴情報を抽出し、当該コンテンツ情報から前記特徴情報を周期的に複数回検出すると、当該コンテンツ情報が前記繰り返し映像情報であると判定し、当該繰り返し映像情報を、前記予め設定された時間分遅延させて前記コンテンツ情報処理装置に出力する
ことを特徴とする請求項１に記載のエレベータインフォメーションシステム。
【請求項３】
前記出力タイミング制御装置は、前記コンテンツ情報の先頭の所定数のフレームそれぞれの画像情報を所定数のブロックに分割し、各ブロックから取得した所定数の画素情報を、前記特徴情報として抽出する
ことを特徴とする請求項２に記載のエレベータインフォメーションシステム。
【請求項４】
前記出力タイミング制御装置は、入力したコンテンツ情報を順次蓄積する蓄積手段を有し、
入力したコンテンツ情報が前記繰り返し映像情報であると判定すると、以降入力するコンテンツ情報と、前記蓄積手段に蓄積した前記繰り返し映像情報とが一致しているか否かを監視し、入力したコンテンツ情報と前記繰り返し映像情報とが異なると判定したときには、前記コンテンツ情報管理装置から配信されるコンテンツ情報が切り替わったと判定し、新たなコンテンツ情報について、繰り返し映像情報であるか否かを判定し、繰り返し映像情報であると判定したときには、当該繰り返し映像情報を、前記予め設定された時間分遅延させて前記コンテンツ情報処理装置に出力する
ことを特徴とする請求項１〜３いずれか１項に記載のエレベータインフォメーションシステム。
【請求項５】
前記出力タイミング制御装置は、前記コンテンツ情報の先頭の所定数のフレームにおいて、フレーム内の所定位置の画素情報がすべて一致するときには、入力したコンテンツ情報は静止画像情報であると判定し、当該静止画像情報を、遅延させずに前記エレベータ内のモニタに表示させるために前記コンテンツ情報処理装置に出力する
ことを特徴とする請求項１〜４いずれか１項に記載のエレベータインフォメーションシステム。
【請求項６】
予め保持したコンテンツ情報を、建物内に設置された複数の建物側モニタに配信するコンテンツ情報管理装置に接続されたエレベータインフォメーションシステムが、
前記コンテンツ情報管理装置から配信されたコンテンツ情報を入力し、入力したコンテンツ情報が、所定の映像情報が繰り返された繰り返し映像情報である場合に、前記建物のエレベータ内に設置されたモニタに表示させるための変換処理にかかる時間を考慮して、前記建物側モニタと前記エレベータ内のモニタとで前記所定の映像情報の表示タイミングが同期するように、予め設定された時間分遅延させて、前記エレベータ内のモニタに表示させるために出力する
ことを特徴とするエレベータインフォメーション出力方法。
【発明の詳細な説明】
【技術分野】
【０００１】
本発明の実施形態は、エレベータインフォメーションシステムおよびエレベータインフォメーション出力方法に関する。
【背景技術】
【０００２】
従来、高層建物やショッピングモールなどの大型の施設において、建物内の複数個所に設置されたモニタに広告や当該建物に関する情報等を表示させるコンテンツ表示システムがある。このようなコンテンツ表示システムには、エレベータの乗場や乗りかご内のモニタに情報を表示させるエレベータインフォメーションシステムも含められている。
【０００３】
コンテンツ表示システムにより同一の映像情報が建物内の複数のモニタに配信され表示されると、利用者は建物内を移動しながら、当該映像情報を継続して視聴することができる。
【先行技術文献】
【特許文献】
【０００４】
【特許文献１】特開平８−２１７３４８号公報
【発明の概要】
【発明が解決しようとする課題】
【０００５】
上述したエレベータインフォメーションシステムでは、コンテンツ表示システムにより配信されたコンテンツ情報を受信した際に、エレベータ内のモニタで表示させるための変換処理や、コンテンツ情報にエレベータの運行情報を合成する処理、および、エレベータ運行中に発生するノイズにより破損したコンテンツ情報を修復する処理等を行う必要がある。そのため、コンテンツ表示システムにより建物内に一斉に同一のコンテンツ情報が配信されても、エレベータ内のモニタに表示されるタイミングは、建物側の他のモニタに表示されるタイミングに比べて数秒〜数十秒の遅延が生じる。
【０００６】
エレベータ内のモニタへの表示タイミングに遅延が生じた場合、エレベータの乗場近くの建物側のモニタに表示された映像情報を視聴していた利用者がエレベータを利用するときに、継続して当該映像情報をエレベータ内のモニタで視聴することができず、利用者へのサービスが低下するという問題があった。
【０００７】
本発明は上記事情に鑑みてなされたものであり、建物に設置された建物側のモニタで映像情報を視聴していた利用者がエレベータに乗り込んだときに、継続して当該映像情報をエレベータ内のモニタで視聴可能とするエレベータインフォメーションシステムおよびエレベータインフォメーション出力方法の提供を目的とする。
【課題を解決するための手段】
【０００８】
上記目的を達成するための実施形態によればエレベータインフォメーションシステムは、建物側モニタにコンテンツ情報を配信するコンテンツ情報管理装置に接続され、コンテンツ情報処理装置と出力タイミング制御装置とを備える。コンテンツ情報処理装置はコンテンツ情報をエレベータ内のモニタに表示させるための変換処理を行う。出力タイミング制御装置は配信されたコンテンツ情報が所定の映像情報を繰り返す繰り返し映像情報である場合に、建物側モニタとエレベータ内のモニタとで当該所定の映像情報の表示タイミングを同期させるように、予め設定された時間分遅延させてコンテンツ情報処理装置に送信する。
【図面の簡単な説明】
【０００９】
【図１】第１実施形態〜第３実施形態によるエレベータインフォメーションシステムを利用したコンテンツ表示システムの構成を示す全体図。
【図２】第１実施形態〜第３実施形態によるエレベータインフォメーションシステムの構成を示すブロック図。
【図３】第１実施形態によるエレベータインフォメーションシステムの動作を示すフローチャート。
【図４】第１実施形態によるエレベータインフォメーションシステムにおいて、コンテンツ情報の特徴情報を取得するためにフレームを分割した状態を示す説明図。
【図５】第１実施形態によるエレベータインフォメーションシステムにおいて、配信された映像情報がモニタに表示された状態を示す画面表示図。
【図６】第１実施形態によるエレベータインフォメーションシステムにおいて、コンテンツ情報の特徴情報を取得するための特徴点がフレーム内で偏っている状態を示す説明図。
【図７】第１実施形態によるエレベータインフォメーションシステムにおいて、配信されたコンテンツ情報が繰り返し映像情報であるか否かを判定する処理の説明図。
【図８】第２実施形態によるエレベータインフォメーションシステムの動作を示すフローチャート。
【図９】第２実施形態によるエレベータインフォメーションシステムにおいて、入力したコンテンツ情報と、蓄積したコンテンツ情報が一致している状態を示す説明図。
【図１０】第２実施形態によるエレベータインフォメーションシステムにおいて、入力したコンテンツ情報と、蓄積したコンテンツ情報が異なっている状態を示す説明図。
【図１１】第３実施形態によるエレベータインフォメーションシステムの動作を示すフローチャート。
【発明を実施するための形態】
【００１０】
《第１実施形態》
〈第１実施形態によるコンテンツ表示システムの構成〉
本発明の第１実施形態によるエレベータインフォメーションシステムを利用したコンテンツ表示システムの構成について、図１を参照して説明する。
【００１１】
本実施形態によるコンテンツ表示システム１は、コンテンツ情報管理装置１０と、複数の建物側モニタ（第１建物側モニタ２０−１、第２建物側モニタ２０−２・・・第ｎ建物側モニタ２０−ｎ）と、建物内のエレベータに関するエレベータインフォメーションシステム３０とを備える。
【００１２】
コンテンツ情報管理装置１０は、表示対象のコンテンツ情報を予め保持し、第１建物側モニタ２０−１〜第ｎ建物側モニタ２０−ｎや、エレベータインフォメーションシステム３０にストリーミング配信する。第１建物側モニタ２０−１〜第ｎ建物側モニタ２０−ｎは、建物内の通路やロビー等の設備に設置され、コンテンツ情報管理装置１０から配信されたコンテンツ情報を順次表示する。
【００１３】
エレベータインフォメーションシステム３０は、出力タイミング制御装置３１と、エレベータ内に設置された複数のモニタ（第１かご内モニタ３２−１、第２かご内モニタ３２−２、ホール側モニタ３３）と、これらエレベータ内のモニタそれぞれに対応する複数のコンテンツ情報処理装置（第１コンテンツ情報処理装置３４−１、第２コンテンツ情報処理装置３４−２、第３コンテンツ情報処理装置３４−３）とを備える。
【００１４】
出力タイミング制御装置３１は、図２に示すように、コンテンツ情報入力部３１１と、コンテンツ情報蓄積部３１２と、コンテンツ情報判定部３１３と、コンテンツ情報送信部３１４とを有する。
【００１５】
コンテンツ情報入力部３１１は、コンテンツ情報管理装置１０から送信されたコンテンツ情報を順次入力してコンテンツ情報蓄積部３１２に蓄積させる。またコンテンツ情報入力部３１１は、入力したコンテンツ情報の先頭の所定数のフレームの特徴を示す特徴情報を取得する。コンテンツ情報蓄積部３１２は、コンテンツ情報入力部３１１から順次入力されるコンテンツ情報を蓄積する。コンテンツ情報判定部３１３は、コンテンツ情報蓄積部３１２に蓄積されたコンテンツ情報が、所定の映像情報の繰り返しにより構成される繰り返し映像情報であるか否かを判定する。具体的には、コンテンツ情報蓄積部３１２に蓄積されたコンテンツ情報に、コンテンツ情報入力部３１１で取得された特徴情報と一致する情報が複数回検出された場合に、当該コンテンツ情報が繰り返し映像情報であると判定する。コンテンツ情報送信部３１４は、繰り返し映像情報として判定されたコンテンツ情報を、当該コンテンツ情報の入力が開始された時点から所定時間遅延させたタイミングで、コンテンツ情報蓄積部３１２から取得して第１コンテンツ情報処理装置３４−１〜第３コンテンツ情報処理装置３４−３に送信する。ここで、コンテンツ情報の送信を遅延させる時間は、後段のコンテンツ情報処理装置３４−１〜３４−３で実行される処理に要する時間を考慮して、第１かご内モニタ３２−１、第２かご内モニタ３２−２、およびホール側モニタ３３におけるコンテンツ情報の表示タイミングと、第１建物側モニタ２０−１、第２建物側モニタ２０−２・・・第ｎ建物側モニタ２０−ｎにおけるコンテンツ情報の表示タイミングとが同期するように、予め設定される。
【００１６】
第１コンテンツ情報処理装置３４−１〜第３コンテンツ情報処理装置３４−３はそれぞれ、出力タイミング制御装置３１により送信されたコンテンツ情報をエレベータ内のモニタで表示させるための変換処理や、当該コンテンツ情報にエレベータの運行情報を合成する処理、および、エレベータ運行中に発生する信号ノイズにより破損したコンテンツ情報を修復する処理等を行う。
【００１７】
第１かご内モニタ３２−１は、第１コンテンツ情報処理装置３４−１で処理が施されたコンテンツ情報を表示する。第２かご内モニタ３２−２は、第２コンテンツ情報処理装置３４−２で処理が施されたコンテンツ情報を表示する。ホール側モニタ３３は、第３コンテンツ情報処理装置３４−３で処理が施されたコンテンツ情報を表示する。
【００１８】
〈第１実施形態によるコンテンツ表示システムの動作〉
次に、本実施形態によるコンテンツ表示システム１の動作について説明する。本実施形態において、コンテンツ表示システム１のコンテンツ情報管理装置１０内には、表示対象のコンテンツ情報として、広告映像情報ａ1→広告映像情報ａ2→広告映像情報ａ3の順に再生されるように構成された映像情報Ａが予め保持されている。また、エレベータインフォメーションシステム３０の出力タイミング制御装置３１には、第１コンテンツ情報処理装置３４−１〜第３コンテンツ情報処理装置３４−３において実行される処理にかかる時間を考慮して、建物側モニタ２０−１〜２０−ｎとエレベータ内のモニタとで、映像情報Ａの表示タイミングを同期させるために予め設定された時間「３０秒」が、出力処理の遅延時間として保持されている。
【００１９】
このように情報が保持された状態で、コンテンツ情報管理装置１０から建物内の各モニタに対し、映像情報Ａが繰り返し表示されるようにストリーミング配信されると、第１建物側モニタ２０−１、第２建物側モニタ２０−２・・・第ｎ建物側モニタ２０−ｎにおいて順次受信されつつ表示される。
【００２０】
また、コンテンツ情報管理装置１０から繰り返し配信された映像情報Ａはエレベータインフォメーションシステム３０においても順次受信される。エレベータインフォメーションシステム３０において、繰り返し配信された映像情報Ａが受信されたときに実行される処理について、図３のフローチャートを参照して説明する。
【００２１】
まず、受信された映像情報Ａがコンテンツ情報入力部３１１から順次入力され（Ｓ１）、コンテンツ情報蓄積部３１２に蓄積されるとともに、コンテンツ情報入力部３１１において当該映像情報Ａの仕様情報が判定される（Ｓ２）。仕様情報とは、当該映像情報Ａを再生するために必要なフレームレートやビットレート等の情報である。フレームレートやビットレートはコンテンツごとに異なるため、仕様情報は映像情報Ａに含まれる映像情報ごとに判定される。例えば、広告映像情報ａ1のフレームレートは30fps、ビットレートは3.5MB、また、広告映像情報ａ2のフレームレートは60fps、ビットレートは8.0MB・・・と判定される。
【００２２】
次に、コンテンツ情報入力部３１１において、入力した映像情報Ａの先頭の所定数のフレームの特徴を示す特徴情報が取得される（Ｓ３）。映像情報Ａの特徴情報の取得処理について、以下に詳細に説明する。
【００２３】
本実施形態において特徴情報の抽出処理では、まず、映像情報Ａの先頭の３フレームｆ1、ｆ2、およびｆ3がそれぞれ、図４に示すように９個のブロックに均等に分割される。例えば、フレームｆ1〜ｆ3が、解像度1980×1080ピクセルで構成されている場合、各フレームが660×360ピクセルの９個のブロックに分割される。
【００２４】
次に、分割された各ブロックからランダムに１０個の画素が特徴点Ｐとして特定される。ここで特徴点Ｐとして特定される画素は、フレームごと、ブロックごとに位置が異なっていてもよい。そして、これらの特徴点Ｐのフレーム内の位置情報と、色相や彩度、明度の情報とを含む画素情報が抽出され、当該映像情報Ａの特徴情報として取得される。
【００２５】
このように、画像情報を均等に分割した複数ブロックから所定数の特徴点Ｐの画素情報を取得することにより、画像情報全体からなるべく偏りなく特徴情報を取得することができる。例えば図５に示すように、画面の中央エリア付近でテキスト文字「ＡＢＣＤＥＦ」が矢印方向に移動し、それ以外のエリアでは変化がないような映像情報の特徴情報を取得する場合に、フレームを分割せずにランダムに特徴点Ｐを特定すると、図６に示すように特定位置に偏りが生じてテキスト文字が表示されていないエリアのみから特徴情報が取得されてしまう場合がある。ところが、上述した本実施形態のように、フレームを均等に分割した複数ブロックそれぞれから画素情報を取得することにより、抽出位置の極端な偏りを防ぎ、変化する箇所が少ない映像情報でも効率よく特徴情報を取得することができる。
【００２６】
次に、コンテンツ情報判定部３１３において、コンテンツ情報蓄積部３１２に蓄積されたコンテンツ情報が、所定の映像情報の繰り返しにより構成される繰り返し映像情報であるか否かが判定される（Ｓ４）。繰り返し映像情報の判定処理について、以下に図７を用いて詳細に説明する。
【００２７】
コンテンツ情報判定部３１３では、コンテンツ情報入力部３１１で取得された特徴情報を用いて、図７に示すように、コンテンツ情報蓄積部３１２に蓄積されたコンテンツ情報の先頭から３フレームごとに、１フレームずつずらしながら比較演算が順次（１回目、２回目・・・N回目・・・）行われる。比較演算では、コンテンツ情報入力部３１１で取得された特徴情報と、比較演算対象のフレーム内における、各特徴点Ｐに対応する位置の画素情報とが比較される。
【００２８】
ここでは比較演算により、当該特徴情報が、蓄積されたコンテンツ情報内の1番目〜3番目のフレーム内の特徴点Ｐの画素情報と一致（１回目の一致）した後、N番目〜N+2番目のフレーム内の特徴点Ｐの画素情報とも一致（２回目の一致）することが検出される。このように、特徴情報と一致するフレーム群が複数回検出されたことにより、当該コンテンツ情報はN-1個のフレームでされた映像情報Ａが繰り返された繰り返し映像情報であると判定される（Ｓ４の「YES」）。
【００２９】
コンテンツ情報判定部３１３において、蓄積されたコンテンツ情報が映像情報Ａの繰り返し映像情報であると判定されると、コンテンツ情報送信部３１４により、当該映像情報Ａの入力が開始された時点から予め保持した遅延時間である３０秒分、遅延させたタイミングで、蓄積された映像情報Ａが第１コンテンツ情報処理装置３４−１〜第３コンテンツ情報処理装置３４−３に送信が開始される（Ｓ５）。このとき、ステップＳ２で判定された該当する映像情報の仕様情報とともに送信される。
【００３０】
第１コンテンツ情報処理装置３４−１〜第３コンテンツ情報処理装置３４−３では、出力タイミング制御装置３１により送信された映像情報Ａをエレベータ内のモニタで表示させるための変換処理や、当該映像情報Ａにエレベータの運行情報を合成する処理、および、エレベータ運行中に発生する信号ノイズにより破損したコンテンツ情報を修復する処理等が行われる。本実施形態においては、これらの処理に３０秒程度を要する。
【００３１】
そして、第１コンテンツ情報処理装置３４−１で処理された映像情報Ａが第１かご内モニタ３２−１に表示され、第２コンテンツ情報処理装置３４−２で処理された映像情報Ａが第２かご内モニタ３２−２に表示され、第３コンテンツ情報処理装置３４−３で処理された映像情報Ａがホール側モニタ３３に表示される。表示の際は、該当する仕様情報に基づいて処理が行われる。このとき、コンテンツ情報管理装置１０において映像情報Ａを繰り返すストリーミング配信が開始されてから、第１コンテンツ情報処理装置３４−１〜第３コンテンツ情報処理装置３４−３で実行される処理に要する時間を考慮した時間分が遅延されて出力タイミング制御装置３１から送信されていることから、第１建物側モニタ２０−１〜第ｎ建物側モニタ２０−ｎにおける映像情報Ａの出力開始タイミングと、第１かご内モニタ３２−１、第２かご内モニタ３２−２、およびホール側モニタ３３における映像情報Ａの出力開始タイミングとが同期される。
【００３２】
ステップＳ４において、コンテンツ情報内に、特徴情報と一致する３フレームが複数回検出されず、コンテンツ情報蓄積部３１２に蓄積されたコンテンツ情報は繰り返し映像ではないと判定されたとき（Ｓ４の「NO」）には、コンテンツ情報送信部３１４により、コンテンツ情報蓄積部３１２に蓄積されたコンテンツ情報が遅延されずに逐次送信される（Ｓ６）。
【００３３】
以上の第１実施形態によれば、建物内の建物側モニタとエレベータ内のモニタとにおいて、同一の繰り返し映像情報が同期して表示されるため、建物側モニタでコンテンツ情報を視聴していた利用者がエレベータに乗り込んだときに、継続して当該映像情報をエレベータ内のモニタで視聴することができ、広告の宣伝効果を高めることができる。
【００３４】
また上述した第１実施形態において、出力タイミング制御装置３１に入力されたコンテンツ情報の先頭の所定数のフレームから、所定数の画素に関する情報を特徴情報として取得しておくことにより、順次蓄積されるコンテンツ情報が繰り返し映像情報であるか否かを判定する処理を、少ない比較演算量にて実行することができる。例えば、入力されたコンテンツ情報が、解像度1980×1080ピクセルのフレームで構成された映像情報である場合、１フレームの画素数は1980×1080=2,138,400ピクセルである。そして、30フレーム／秒で構成された映像情報について、先頭フレームと同一フレームの出現を監視するための比較演算をフレーム内の全画素について行う際には、先頭の１フレームに対し、１秒間に2,138,400ピクセル×30フレーム=64,152,000ピクセルを演算対象とすることになる。ところが、上述した本願発明では、１フレームにつき10ピクセル×9ブロック=90ピクセルの特徴点を特定し、これらの特徴点のみについて比較演算を行うため、先頭の１フレームごとに、１秒間に90ピクセル×30フレーム=2700ピクセルが演算対象となり、先頭の３フレームを演算対象としてもなお、全画素について比較演算を行う場合に比べて大幅に演算量を減らすことができ、装置の処理負荷を低減させつつ精度の高い比較演算を高速に行うことができる。
【００３５】
《第２実施形態》
〈第２実施形態によるコンテンツ表示システムの構成〉
本発明の第２実施形態によるエレベータインフォメーションシステムを利用したコンテンツ表示システムの構成は、第１実施形態において説明したコンテンツ表示システム１の構成と同様であるため、同一機能を有する部分の詳細な説明は省略する。
【００３６】
本実施形態において出力タイミング制御装置３１のコンテンツ情報入力部３１１は、現在入力されている情報がコンテンツ情報判定部３１３により繰り返し映像情報であると判定されると、以降入力されるコンテンツ情報が切り替わったか否かを監視する。
【００３７】
コンテンツ情報判定部３１３は、コンテンツ情報入力部３１１において、入力されているコンテンツ情報が切り替わったことが認識されると、新たなコンテンツ情報が繰り返し映像情報であるか否かを判定する。
【００３８】
コンテンツ情報送信部３１４は、コンテンツ情報判定部３１３において新たなコンテンツ情報が繰り返し映像情報であると判定されると、第１実施形態の場合と同様の処理により所定時間遅延させたタイミングで、新たなコンテンツ情報をコンテンツ情報蓄積部３１２から取得して第１コンテンツ情報処理装置３４−１〜第３コンテンツ情報処理装置３４−３に送信する。
【００３９】
〈第２実施形態によるコンテンツ表示システムの動作〉
本実施形態によるコンテンツ表示システム１の動作について、図８のフローチャートを参照して説明する。第１実施形態において説明した処理により、配信されたコンテンツ情報が映像情報Ａを繰り返す繰り返し映像情報であると判定され、出力タイミングが遅延されてエレベータ内の各モニタに再生されている間（Ｓ１１）、出力タイミング制御装置３１のコンテンツ情報入力部３１１において、入力されているコンテンツ情報が切り替わったか否かが監視される。具体的には、コンテンツ情報入力部３１１において、入力されたコンテンツ情報と、コンテンツ情報蓄積部３１２に蓄積された映像情報Ａとについて、図９に示すように、先頭から１フレームずつ比較演算が行われる。比較演算は、フレーム内のすべての画素に対して実行してもよいし、フレーム内から抽出された所定位置の画素に対して実行するようにしてもよい。図９では、コンテンツ情報は切り替わっておらず、入力されたコンテンツ情報のフレームは蓄積された映像情報Ａのフレームと一致する場合を示している。
【００４０】
その後、入力されたコンテンツ情報が、コンテンツ情報蓄積部３１２に蓄積された映像情報Ａと異なると判定したフレームが３個続いたときには（Ｓ１２の「NO」）、入力されているコンテンツ情報が切り替わったことが認識される（Ｓ１３）。例えば図１０に示すように、入力されたコンテンツ情報の所定位置の３個のフレームJ、J+1、J+2と、蓄積された映像情報Ａの対応する位置の３のフレームがM、M+1、M+2とが相互に異なると判定されたときには、入力されているコンテンツ情報が切り替わったことが認識される。
【００４１】
入力されているコンテンツ情報が切り替わったことが認識されると、コンテンツ情報入力部３１１において、新たなコンテンツ情報（「コンテンツ情報Ｂ」とする）の仕様情報が判定される（Ｓ１４）。また、コンテンツ情報Ｂの先頭の３フレームの特徴を示す特徴情報が第１実施形態の場合と同様に取得され（Ｓ１５）、コンテンツ情報判定部３１３に送出される。
【００４２】
コンテンツ情報判定部３１３では、コンテンツ情報Ｂの特徴情報が取得されると、第１実施形態の場合と同様の処理により、コンテンツ情報Ｂが繰り返し映像情報であるか否かが判定される（Ｓ１６）。ここでコンテンツ情報Ｂも繰り返し映像情報であると判定されると（Ｓ１６の「YES」）、第１実施形態の場合と同様に、コンテンツ情報送信部３１４により所定時間遅延させたタイミングで、コンテンツ情報Ｂがコンテンツ情報蓄積部３１２から第１コンテンツ情報処理装置３４−１〜第３コンテンツ情報処理装置３４−３に送信が開始される（Ｓ１７）。そして、第１コンテンツ情報処理装置３４−１〜第３コンテンツ情報処理装置３４−３で処理が実行されたコンテンツ情報Ｂが第１かご内モニタ３２−1、第２かご内モニタ３２−２、およびホール側モニタ３３に出力され、第１建物側モニタ２０−１〜第ｎ建物側モニタ２０−ｎにおけるコンテンツ情報Ｂの出力開始タイミングと同期されて再生される。
【００４３】
また、ステップＳ１６において、コンテンツ情報Ｂが繰り返し映像情報ではないと判定されたとき（Ｓ１６の「NO」）には、コンテンツ情報送信部３１４により、コンテンツ情報蓄積部３１２に蓄積されたコンテンツ情報Ｂが遅延されずに逐次送信され、再生される（Ｓ１８）。
【００４４】
以上の第２実施形態によれば、建物内の建物側モニタとエレベータ内のモニタとにおいて同期して表示されている繰り返し映像情報が切り替わったときに、当該切り替わりを検知し、新たなコンテンツ情報も繰り返し映像情報であるときには、同様に表示タイミングを同期させることができる。
【００４５】
《第３実施形態》
〈第３実施形態によるコンテンツ表示システムの構成〉
本発明の第３実施形態によるエレベータインフォメーションシステムを利用したコンテンツ表示システムの構成は、第１実施形態において説明したコンテンツ表示システム１の構成と同様であるため、同一機能を有する部分の詳細な説明は省略する。
【００４６】
本実施形態において出力タイミング制御装置３１のコンテンツ情報入力部３１１は、入力したコンテンツ情報の、特徴情報の取得対象である先頭の所定数のフレームにおいて、フレーム内の所定位置の画素情報がすべて一致した場合に、当該コンテンツ情報が静止画像情報であると判定する。この判定対象の画素は、フレーム内の１点であっても複数個であってもよい。
【００４７】
コンテンツ情報送信部３１４は、コンテンツ情報入力部３１１で入力されたコンテンツ情報が静止画像情報であると判定されると、遅延処理を行わずに、コンテンツ情報蓄積部３１２に蓄積された当該静止画像情報を、第１コンテンツ情報処理装置３４−１〜第３コンテンツ情報処理装置３４−３に送信する。
【００４８】
〈第３実施形態によるコンテンツ表示システムの動作〉
本実施形態によるコンテンツ表示システム１の動作について、図１１のフローチャートを参照して説明する。図１１において、ステップＳ２１〜Ｓ２３で実行される処理は、第１実施形態において説明した図３のステップＳ１〜Ｓ３の処理と同様であるため、詳細な説明は省略する。
【００４９】
ステップＳ２３において、入力されたコンテンツ情報の特徴情報が取得されると、コンテンツ情報入力部３１１において、特徴情報の取得対象である先頭の３フレームにおいて、フレーム内の所定位置の画素情報が比較演算される。比較演算の結果、３フレームすべてにおいて当該位置の画像情報が一致したときには、当該コンテンツ情報が静止画像情報であると判定される（Ｓ２４の「YES」）。
【００５０】
入力されたコンテンツ情報が静止画像情報であると判定されると、コンテンツ情報送信部３１４により、コンテンツ情報蓄積部３１２に蓄積された当該静止画像情報が、直ちに第１コンテンツ情報処理装置３４−１〜第３コンテンツ情報処理装置３４−３に送信される（Ｓ２７）。
【００５１】
ステップＳ２４において、入力されたコンテンツ情報が静止画像情報ではないと判定されたとき（Ｓ２４の「NO」）には、第１実施形態において説明したステップＳ４〜Ｓ６と同様に、当該コンテンツ情報が繰り返し映像情報であると判定されたときには遅延処理が行われ、繰り返し映像情報ではないと判定されたときには遅延処理は行われずに、当該コンテンツ情報が第１コンテンツ情報処理装置３４−１〜第３コンテンツ情報処理装置３４−３に送信される（Ｓ２５〜Ｓ２７）。
【００５２】
以上の第３実施形態によれば、コンテンツ情報管理装置から配信されたコンテンツ情報が静止画像情報であると判定したときには、エレベータ内のモニタへのコンテンツ情報の表示タイミングを遅延させる処理を実行せず、エレベータインフォメーションシステム内の処理負荷を低減させることができる。
【００５３】
また、利用者が建物側モニタの前からエレベータ内のモニタの前への移動に要する時間（例えば２秒）や、エレベータに乗車してかご内モニタに視線を向けるまでの時間（例えば１秒）を予め取得しておき、出力タイミング制御装置においてコンテンツ情報を送信する際に、出力先のモニタによって、さらにこれらの時間を加えて遅延処理を行うようにしてもよい。このように処理を行うことにより、さらに精度よく、利用者がコンテンツ情報を継続して視聴することができる。
【００５４】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５５】
１…コンテンツ表示システム、１０…コンテンツ情報管理装置、２０−１〜２０−ｎ…建物側モニタ、３０…エレベータインフォメーションシステム、３１…出力タイミング制御装置、３２−１，３２−２…かご内モニタ、３３…ホール側モニタ、３４−１…第１コンテンツ情報処理装置、３４−２…第２コンテンツ情報処理装置、３４−３…第３コンテンツ情報処理装置、３１１…コンテンツ情報入力部、３１２…コンテンツ情報蓄積部、３１３…コンテンツ情報判定部、３１４…コンテンツ情報送信部
【要約】
【課題】  建物に設置された建物側のモニタで映像情報を視聴していた利用者がエレベータに乗り込んだときに、継続して当該映像をエレベータ内のモニタで視聴可能とするエレベータインフォメーションシステムおよびエレベータインフォメーション出力方法を提供する。
【解決手段】  実施形態によればエレベータインフォメーションシステムは、建物側モニタにコンテンツ情報を配信するコンテンツ情報管理装置に接続され、コンテンツ情報処理装置と出力タイミング制御装置とを備える。コンテンツ情報処理装置はコンテンツ情報をエレベータ内のモニタに表示させるための変換処理を行う。出力タイミング制御装置は配信されたコンテンツ情報が所定の映像情報を繰り返す繰り返し映像情報である場合に、建物側モニタとエレベータ内のモニタとで当該所定の映像情報の表示タイミングを同期させるように、予め設定された時間分遅延させてコンテンツ情報処理装置に送信する。
【選択図】図１【図１】
0005940715.tif 000002
【図２】
0005940715.tif 000003
【図３】
0005940715.tif 000004
【図４】
0005940715.tif 000005
【図５】
0005940715.tif 000006
【図６】
0005940715.tif 000007
【図７】
0005940715.tif 000008
【図８】
0005940715.tif 000009
【図９】
0005940715.tif 000010
【図１０】
0005940715.tif 000011
【図１１】
0005940715.tif 000012